(57)【要約】【課題】適した伝送ケーブルに交換することで、様々な種類の音源体に対応できる汎用性の高いマイクロフォン付ヘッドセットを提供すること。【解決手段】主・副一対のイヤホン１、マイクロフォン２、アダプタボックス３及び複数種類の伝送ケーブル４から成り、一対のイヤホン１を接続ケーブルによって接続し、主イヤホン１からイヤホン信号ケーブル１２を延ばすと共に、イヤホン信号ケーブル１２の先端にアダプタボックス３を接続し、アダプタボックス３に設けた雌コネクタ３４へ、伝送ケーブル４の雄コネクタ４１を交換可能に接続してある。【選択図】図１
0003118750.tif 000002
【実用新案登録請求の範囲】
【請求項１】
主・副一対のイヤホン、マイクロフォン、アダプタボックス及び複数種類の伝送ケーブルから成り、前記一対のイヤホンを接続ケーブルによって接続し、主イヤホンからイヤホン信号ケーブルを延ばすと共に、該イヤホン信号ケーブルの先端に前記アダプタボックスを接続し、該アダプタボックスに設けた雌コネクタへ、前記伝送ケーブルの雄コネクタを交換可能に接続したことを特徴とするマイクロフォン付ヘッドセット。
【請求項２】
前記マイクロフォンを前記アダプタボックス内に設置するか、或いは、外部に設置して接続してある請求項１に記載のマイクロフォン付ヘッドセット。
【請求項３】
前記アダプタボックスは、小型の箱体より成り、その外面に、マイクロフォンのｏｎ／ｏｆｆを操作するスイッチボタン、イヤホンスピーカの音量を調節する音量調節ボタン、マイクロフォン集音孔及び前記雌コネクタを設け、該雌コネクタは前記イヤホン信号ケーブルの接続側と逆側を向いて設置されている請求項２に記載のマイクロフォン付ヘッドセット。
【請求項４】
前記複数種類の伝送ケーブルの一端にそれぞれ前記雄コネクタが装着されると共に、他端には、互いに異なる音源体のコネクタへ接続可能なプラグが装着されている請求項１〜３のいずれかに記載のマイクロフォン付ヘッドセット。
【考案の詳細な説明】
【技術分野】
【０００１】
本考案は、伝送ケーブルを分離できて汎用性の高いマイクロフォン付ヘッドセットに関する。
【背景技術】
【０００２】
近年、ＡＶ機器、通信機器、携帯電子機器の発達に伴い、ニーズの多様化に対応すべく、ヘッドセットやマイクロフォンなどのアクセサリ製品は様々な形式のものが出現している。そして、携帯型カセットプレイヤーが発売されてから、最新のＭＰ３プレイヤーや携帯型音楽プレイヤー、携帯電話に至るまで、耳にヘッドセットを装着するのが流行となっており、当然のことと受け入れられている。
マイクロフォン付ヘッドセットは、伝送ケーブルを介して音声や音楽の信号をいやフォンに伝送したり、マイクロフォンから伝送する必要があるが、現今のヘッドセットは、初期のモノラル音声とは異なり、ハイレベルなサラウンドサウンド効果を発揮できる様になっている。
【０００３】
ところで、従来のマイクロフォン付ヘッドセットは、ヘッドセット本体から伝送ケーブルが延びて外部に引き出されると共に、その先端にプラグが装着され、このプラグを音源のコネクタに接続するようになっている。
ところが、マイクロフォン付ヘッドセットは、そのプラグと音源のコネクタとの対応関係によって使用対象が非常に限定されている。即ち、従来のマイクロフォン付ヘッドセットは、音源のコネクタに接続できる規格のプラグを備えていなければ音声信号伝達することができず、汎用性が低い。
従って、消費者は、娯楽用（ＭＰ３プレイヤー、ＣＤプレイヤー等）、業務用（パーソナルコンピュータ、ＭＳＮ、ＳＫＹＰＥ、インスタントメッセンジャー等）、通信用（携帯電話等）などの用途に応じてそれぞれ別々のヘッドセットを準備しなければならず、不便であるばかりか、経済的負担も大きかった。
【考案の開示】
【考案が解決しようとする課題】
【０００４】
本考案が解決しようとする課題は、伝送ケーブルをヘッドセット本体から分離可能とし、適した伝送ケーブルに交換することで、様々な種類の音源体に対応できる汎用性の高いマイクロフォン付ヘッドセットを提供することにある。
【課題を解決するための手段】
【０００５】
本考案のマイクロフォン付ヘッドセットは、主・副一対のイヤホン、マイクロフォン、アダプタボックス及び複数種類の伝送ケーブルから成り、前記一対のイヤホンを接続ケーブルによって接続し、主イヤホンからイヤホン信号ケーブルを延ばすと共に、該イヤホン信号ケーブルの先端に前記アダプタボックスを接続し、該アダプタボックスに設けた雌コネクタへ、前記伝送ケーブルの雄コネクタを交換可能に接続してある。
【０００６】
前記マイクロフォンを前記アダプタボックス内に設置するか、或いは、外部に設置して接続しても良い。
この場合、前記アダプタボックスが、小型の箱体より成り、その外面に、マイクロフォンのｏｎ／ｏｆｆを操作するスイッチボタン、イヤホンスピーカの音量を調節する音量調節ボタン、マイクロフォン集音孔及び前記雌コネクタを設け、該雌コネクタは前記イヤホン信号ケーブルの接続側と逆側を向いて設置されることがある。
前記複数種類の伝送ケーブルの一端にそれぞれ前記雄コネクタが装着されると共に、他端には、その種類ごとに異なる音源体へ接続可能なプラグが装着されている。
【考案の効果】
【０００７】
本考案によれば、伝送ケーブルを音源体の種類に応じて適したプラグを有するものと交換することができるので、１個のヘッドセット本体を様々な音源体へ接続することが可能であり、汎用性が高く、消費者に対する経済的負担も少なくて済む。
また、長い伝送ケーブルを取り外すことができるため、コンパクトになって収納しやすい。
【考案を実施するための最良の形態】
【０００８】
以下、本考案の実施例を図面に基づき詳細に説明する。
本考案のマイクロフォン付ヘッドセットは、図１に示すように、主・副一対のイヤホン１、マイクロフォン２、アダプタボックス３及び複数種類の伝送ケーブル４から成る。
一対のイヤホン１は同じ形態であって、イヤホン１間にはヘッドバンド管１１が架設される。そして、ヘッドバンド管１１の内部に設置されたケーブルによって一対のイヤホン１が接続されている。主イヤホン１からはイヤホン信号ケーブル１２が延び、イヤホン信号ケーブル１２の先端にアダプタボックス３が接続されている。
【０００９】
アダプタボックス３は、小型の箱体より成り、マイクロフォン２はアダプタボックス３内に設置するか、或いは、外部に設置して接続してある。
アダプタボックス３の外面には、スイッチボタン３１、音量調節ボタン３２、マイクロフォン集音孔３３(マイクロフォン２を内蔵した場合)、及び、雌コネクタ３４が設けられる。スイッチボタン３１は、マイクロフォン２のｏｎ／ｏｆｆを操作し、音量調節ボタン３２は、イヤホンスピーカの音量を調節するのに用いる。この結果、アダプタボックス３上において、マイクロフォン２のｏｎ／ｏｆｆ、及び、イヤホン１から出力される音の音量調節を直接操作することができる。
雌コネクタ３４は、標準的なコネクタであって、イヤホン信号ケーブル１２の接続側と逆側を向いて設置されている。
【００１０】
図３〜図５は、異なる種類の伝送ケーブル４を示す。伝送ケーブル４の一端にはアダプタボックス３の雌コネクタ３４と着脱可能に接続される雄コネクタ４１が装着されている。また、伝送ケーブル４の他端には、娯楽用、業務用、通信用などの多種類の音源体に設けられたコネクタへ接続可能なプラグ４２が装着されている。
図３に示す伝送ケーブル４の他端には、端子と伝送ケーブル４への接続部とが同じ軸線上に配置されたプラグ４２が装着されている。
図４に示す伝送ケーブル４の他端部は二股に分岐しており、分岐部の先端にそれぞれプラグ４２が装着されている。
図５に示す伝送ケーブル４の他端には、端子の軸方向が伝送ケーブル４に対する接続部分の軸方向と直交するよう屈曲したプラグ４２が装着されている。
そして、伝送ケーブル４を最も適したものと交換して、雄コネクタ４１をアダプタボックス３の雌コネクタ３４に接続し、プラグ４２をその種類（規格・形状）に応じた音源体のコネクタに接続する。
【図面の簡単な説明】
【００１１】
【図１】本考案の実施例を示すマイクロフォン付ヘッドセットの斜視図。
【図２】アダプタボックスの平面図。
【図３】ケーブルの第１の態様を示す平面図。
【図４】ケーブルの第２の態様を示す平面図。
【図５】ケーブルの第３の態様を示す平面図。
【符号の説明】
【００１２】
１  イヤホン
１２  イヤホン信号ケーブル
２  マイクロフォン
３  アダプタボックス
３１  スイッチボタン
３２  音量調節ボタン
３３  マイクロフォン集音孔
３４  雌コネクタ
４  伝送ケーブル
４１  雄コネクタ
４２  プラグ
【図１】
0003118750.tif 000003
【図２】
0003118750.tif 000004
【図３】
0003118750.tif 000005
【図４】
0003118750.tif 000006
【図５】
0003118750.tif 000007